(57)【要約】【課題】  共通の発振トランジスタ及び共振回路によって、ハイバンド受信用の局部発振周波数帯域とローバンド受信用の局部発振周波数帯域とをカバーする。【解決手段】  発振トランジスタ１１、１２を内部に構成すると共に、発振トランジスタ１１、１２のベースとコレクタとにそれぞれ結合された第１及び第２の端子１０ａ、１０ｂを有する集積回路１０と、集積回路１０の外部に設けられ、第１及び第２の端子１０ａ、１０ｂ間に結合される共振回路３０とを備え、集積回路１０内には各端子１０ａ、１０ｂにカソードが接続され、アノードが接地された静電破壊防止用の保護ダイオード１９、２０を設け、保護ダイオード１９、２０のカソードには、ＶＨＦローバンド受信時に電圧を印加せず、ハイバンド受信時に逆バイアス用の電圧を印加した。【選択図】        図１
2006060568.tif 000002
【特許請求の範囲】
【請求項１】
発振トランジスタを内部に構成すると共に、前記発振トランジスタのベースとコレクタとにそれぞれ結合された第１及び第２の端子を有する集積回路と、前記集積回路の外部に設けられ、前記第１及び第２の端子間に結合される共振回路とを備え、前記集積回路内には前記各端子にカソードが接続され、アノードが接地された静電破壊防止用の保護ダイオードを設け、前記保護ダイオードのカソードには、ＶＨＦローバンド受信時に電圧を印加せず、ハイバンド受信時に逆バイアス用の電圧を印加したことを特徴とする局部発振回路。
【請求項２】
前記共振回路の一端を結合用のバラクタダイオードを介して前記第１の端子に結合すると共に、他端を前記第２の端子に結合し、前記バラクタダイオードのアノードを直流的に接地し、カソードには、ＶＨＦローバンド受信時に電圧を印加せず、ハイバンド受信時に逆バイアス用の電圧を印加したことを特徴とする請求項１に記載の局部発振回路。
【請求項３】
前記集積回路内には前記第２の端子に一端が接続されると共に、前記共振回路に直列に介挿された第１の抵抗と、前記第１の抵抗の他端にコレクタが接続されると共に、エミッタが接地されたスイッチトランジスタと、コレクタと前記第１の端子との間に接続された第２の抵抗とを設け、前記スイッチトランジスタのコレクタに給電抵抗を介して電源電圧を印加し、前記スイッチトランジスタをハイバンド受信時にオフ、ローバンド受信時にオンに切り替えたことを特徴とする請求項２に記載の局部発振回路。
【請求項４】
前記発振トランジスタは第１及び第２の発振トランジスタを有し、前記第１の発振トランジスタのベースと前記第２の発振トランジスタのコレクタをそれぞれ第１の結合コンデンサ、第２の結合コンデンサを介して前記第１の端子に結合し、前記第１の発振トランジスタのコレクタと前記第２の発振トランジスタのベースをそれぞれ第３の結合コンデンサ、第４の結合コンデンサを介して前記第１の抵抗の他端に結合したことを特徴とする請求項３に記載の局部発振回路。
【発明の詳細な説明】
【技術分野】
【０００１】
本発明は、テレビジョンチューナに好適な局部発振回路に関する。
【背景技術】
【０００２】
テレビジョンチューナに使用される従来の局部発振回路を図３によって説明する。先ず、集積回路６０内にはエミッタ同士が互いに接続された一対の発振トランジスタ６１、６２と、定電流源６３とが構成されている。また、コレクタにはそれぞれ給電用の抵抗を介して電圧が印加される。集積回路６０内には第一乃至第四の結合コンデンサ６４乃至６７が構成される。
【０００３】
集積回路１には第一の端子６０ａと第二の端子６０ｂとが設けられ、第一の端子６０ａには第一の結合コンデンサ６４を介して第一の発振トランジスタ６１のベースが結合されると共に、第二の結合コンデンサ６５を介して第二の発振トランジスタ６２のコレクタが結合される。また、第二の端子６０ｂには第三の結合コンデンサ６６を介して第一の発振トランジスタ６１のコレクタが結合されると共に、第四の結合コンデンサ６７を介して第二の発振トランジスタ６２のベースが結合される。集積回路６０内には第一の端子６０ａにカソードが接続され、アノードが接地されたダイオード６８と、第二の端子６０ｂにカソードが接続され、アノードが接地されたダイオード６９とが構成される。
【０００４】
また、集積回路６０内にはエミッタ同士が互いに接続された一対の発振トランジスタ７１、７２と、定電流源７３とが構成されている。また、各発振トランジスタ７１、７２のコレクタにはそれぞれ給電用の抵抗を介して電圧が印加される。さらに、集積回路６０内には第三の発振トランジスタ７１のベースに接続された第五の結合コンデンサ７４と第四の発振トランジスタ７２のコレクタに接続された第六の結合コンデンサ７５とが構成されると共に、第四の発振トランジスタ７２のベースを接地するコンデンサ７６が構成される。
【０００５】
そして、集積回路６０には第三の端子６０ｃが設けられ、第三の端子１０ｃと第三の発振トランジスタ７４のベースとの間に第五の結合コンデンサ７４が接続され、第三の端子１０ｃと第四の発振トランジスタ７５のコレクタとの間に第六の結合コンデンサ７５が接続される。また、第三の端子６０ｃにカソードが接続されアノードが接地されたダイオード７７が集積回路６０内に構成される。上記の三個のダイオード６８、６９、７７は、静電破壊に対する保護ダイオードとして機能する。
【０００６】
集積回路６０の外部には第一の共振回路８１と第二の共振回路８２とが設けられる。第一の共振回路８１はインダクタンス素子８１ａとバラクタダイオード８１ｂとからなる並列共振回路で構成され、第一の端子６０ａと第二の端子６０ｂとの間に接続される。そして、バラクタダイオード８１ｂのアノードは抵抗８１ｃによって直流的に接地され、カソードには同調電圧Ｖｔが印加される。この局部発振回路はＶＨＦ帯のハイバンドのテレビジョン信号を受信するための平衡型の局部発振器として使用される。
【０００７】
また、第二の共振回路８２はインダクタンス素子８２ａとバラクタダイオード８２ｂとからなる並列共振回路で構成され、その一端が第三の端子６０ｃに接続され、他端は接地される。そして、バラクタダイオード８２ｂのアノードはインダクタンス素子８１ａによって直流的に接地され、カソードには同調電圧Ｖｔが印加される。この発振器はローバンドのテレビジョン信号を受信するための不平衡型の局部発振器として使用される（例えば、特許文献１参照。）。
【０００８】
【特許文献１】特開２００３−１７９４３０号公報（図３）
【発明の開示】
【発明が解決しようとする課題】
【０００９】
上記の構成では、ハイバンド受信用の局部発振回路とローバンド受信用の局部発振回路とが独立して設けられているので、各受信バンドで十分な発振周波数帯域が得られるが構成が複雑である。
【００１０】
本発明は、共通の発振トランジスタ及び共振回路によって、ハイバンド受信用の局部発振周波数帯域とローバンド受信用の局部発振周波数帯域とをカバーすることを目的とする。
【課題を解決するための手段】
【００１１】
上記課題を解決するため、発振トランジスタを内部に構成すると共に、前記発振トランジスタのベースとコレクタとにそれぞれ結合された第１及び第２の端子を有する集積回路と、前記集積回路の外部に設けられ、前記第１及び第２の端子間に結合される共振回路とを備え、前記集積回路内には前記各端子にカソードが接続され、アノードが接地された静電破壊防止用の保護ダイオードを設け、前記保護ダイオードのカソードには、ＶＨＦローバンド受信時に電圧を印加せず、ハイバンド受信時に逆バイアス用の電圧を印加した。
【００１２】
また、前記共振回路の一端を結合用のバラクタダイオードを介して前記第１の端子に結合すると共に、他端を前記第２の端子に結合し、前記バラクタダイオードのアノードを直流的に接地し、カソードには、ＶＨＦローバンド受信時に電圧を印加せず、ハイバンド受信時に逆バイアス用の電圧を印加した。
【００１３】
また、前記集積回路内には前記第２の端子に一端が接続されると共に、前記共振回路に直列に介挿された第１の抵抗と、前記第１の抵抗の他端にコレクタが接続されると共に、エミッタが接地されたスイッチトランジスタと、コレクタと前記第１の端子との間に接続された第２の抵抗とを設け、前記スイッチトランジスタのコレクタに給電抵抗を介して電源電圧を印加し、前記スイッチトランジスタをハイバンド受信時にオフ、ローバンド受信時にオンに切り替えた。
【００１４】
また、前記発振トランジスタは第１及び第２の発振トランジスタを有し、前記第１の発振トランジスタのベースと前記第２の発振トランジスタのコレクタをそれぞれ第１の結合コンデンサ、第２の結合コンデンサを介して前記第１の端子に結合し、前記第１の発振トランジスタのコレクタと前記第２の発振トランジスタのベースをそれぞれ第３の結合コンデンサ、第４の結合コンデンサを介して前記第１の抵抗の他端に結合した。
【発明の効果】
【００１５】
請求項１の発明によれば、集積回路内には共振回路が結合される各端子にカソードが接続され、アノードが接地された静電破壊防止用の保護ダイオードを設け、保護ダイオードのカソードには、ＶＨＦローバンド受信時に電圧を印加せず、ハイバンド受信時に逆バイアス用の電圧を印加したことにより、ローバンド受信時では二つの保護ダイオードの端子間容量が大きくなるので、発振周波数を低域側にシフトして発振周波数帯域を広げることができ、ハイバンド受信時では二つの保護ダイオードの端子間容量が小さくなるので、高い周波数までの発振が可能となる。したがって、共通の発振トランジスタと共振回路とによってハイバンドとローバンドのテレビジョン信号の受信が可能である。
【００１６】
また、請求項２の発明によれば、共振回路の一端を結合用のバラクタダイオードを介して第１の端子に結合すると共に、他端を第２の端子に結合し、バラクタダイオードのアノードを直流的に接地し、カソードには、ＶＨＦローバンド受信時に電圧を印加せず、ハイバンド受信時に逆バイアス用の電圧を印加したので、発振トランジスタと共振回路との結合が受信バンドによって適宜に変えることができ、発振条件を改善できる。
【００１７】
また、請求項３の発明によれば、集積回路内には第２の端子に一端が接続されると共に、共振回路に直列に介挿された第１の抵抗と、第１の抵抗の他端にコレクタが接続されると共に、エミッタが接地されたスイッチトランジスタと、コレクタと第１の端子との間に接続された第２の抵抗とを設け、スイッチトランジスタのコレクタに給電抵抗を介して電源電圧を印加し、スイッチトランジスタをハイバンド受信時にオフ、ローバンド受信時にオンに切り替えたので、共振回路のＱが変えられることで異常発振の防止と発振条件の改善に効果がある。
【００１８】
また、請求項４の発明によれば、発振トランジスタは第１及び第２の発振トランジスタを有し、第１の発振トランジスタのベースと第２の発振トランジスタのコレクタをそれぞれ第１の結合コンデンサ、第２の結合コンデンサを介して第１の端子に結合し、第１の発振トランジスタのコレクタと前記第２の発振トランジスタのベースをそれぞれ第３の結合コンデンサ、第４の結合コンデンサを介して第１の抵抗の他端に結合したので、平衡型発振回路を構成できる。
【発明を実施するための最良の形態】
【００１９】
図１を参照して本発明の局部発振回路を説明する。本発明の局部発振回路は、例えば、集積回路１０内に構成された発振トランジスタ１１、１２及びその周辺の回路と集積回路１０の外部に構成された共振回路３０とを有する。
【００２０】
集積回路１０内においては、第１及び第２の発振トランジスタ１１、１２のエミッタ同士は互いに接続されると共に、定電流源１３に接続される。また、コレクタにはそれぞれ給電用の抵抗を介して電圧が印加される。また、集積回路１０内には第１乃至第４の結合コンデンサ１４乃至１７が構成され、集積回路１０には共振回路３０を結合するための第１の端子１０ａ及び第２の端子１０ｂと、給電用の第３の端子１０ｃとが設けられる。
【００２１】
第１の端子１０ａには第１の結合コンデンサ１４を介して第１の発振トランジスタ１１のベースが結合されると共に、第２の結合コンデンサ１５を介して第２の発振トランジスタ１２のコレクタが結合される。また、第２の端子１０ｂにはＱダンピング用の５０Ω程度の第１の抵抗１８の一端が接続され、第１の抵抗１８の他端には第３の結合コンデンサ１６を介して第１の発振トランジスタ１１のコレクタが結合されると共に、第４の結合コンデンサ１７を介して第２の発振トランジスタ１２のベースが結合される。
【００２２】
さらに、第１の端子１０ａには静電破壊防止用の第１の保護ダイオード１９のカソードが接続され、第２の端子１０ｂには第２の保護ダイオード２０のカソードが接続される。両保護ダイオード１９、２０のアノードは接地される。そして、第１の抵抗１８の他端と第１の端子１０ａとの間には数１０ｋΩ程度の給電用の第２の抵抗２１が接続される。
【００２３】
さらに、集積回路１０内には、エミッタが接地され、コレクタが第１の抵抗と第２の抵抗２１との接続点に接続されたスイッチトランジスタ２２が構成される。スイッチトランジスタ２２のコレクタは給電用の数１０ｋΩ程度の第３の抵抗２３によって第３の端子１０ｃに接続される。スイッチトランジスタ２２のベースには、ローの電圧（接地電圧）又はハイの電圧（例えば、電源電圧Ｖｂ）が切替手段２４によって印加される。
【００２４】
共振回路３０は、インダクタンス素子３０ａとバラクタダイオード３０ｂとを有する並列共振回路で構成され、インダクタンス素子３０ａの一端にバラクタダイオード３０ｂのアノードが接続され、カソードはコンデンサ３０ｃを介してインダクタンス素子３０ａの他端に接地される。そして、共振回路３０の一端（バラクタダイオード３０ｂのアノード側）が結合用のバラクタダイオード３１を介して第１の端子１０ａに結合される。この場合バラクタダイオード３１のアノードが共振回路３０の一端に接続され、カソードが第１の端子１０ａに接続される。
【００２５】
また、共振回路３０の他端は直流カットコンデンサ３２を介して第２の端子１０ｂの結合される。共振回路３０と直流カットコンデンサ３２との接続点は接地される。よって、二つのバラクタダイオード３０ｂ、３１のアノードはインダクタンス素子３０ａによって直流的にグランドに接続される。また、バラクタダイオード３０ｂのカソードには、共振回路３０の共振周波数（従って発振周波数）を変えるための同調電圧Ｖｔが印加される。第２の端子１０ｂは直流カットコンデンサ３２によって高周波的に接地される。
【００２６】
以上の接続関係によって、共振回路３０は結合コンデンサ１４、１６を介して第１の発振トランジスタ１１のベースとコレクタとの間に結合されると共に、結合コンデンサ１７、１５を介して第２の発振トランジスタ１２のベースとコレクタとの間に結合される。よって二つの発振トランジスタ１１、１２と共振回路３とによって平衡型発振回路が構成される。但し、共振回路３０には第１の抵抗１８が直列に介挿された構成となる。
【００２７】
ここで、ローバンド受信用の局部発振回路として動作させる場合には、スイッチトランジスタ２２のベースにハイの電圧を印加してこれをオンにすると、二つの保護ダイオード１９、２０及びバラクタダイオード３１の各カソードにはバイアス電圧が印加されない。よって、共振回路３０はバラクタダイオード３１による大きな容量によって発振トランジスタ１１、１２に結合される。また、第１の抵抗１８はスイッチトランジスタ２２の等価的なオン抵抗と並列接続され、共振回路３０のダンピング効果は少なくなる。よって、ローバンドの発振条件が改善される。また、二つの保護ダイオードの端子間容量が大きくなるので、発振周波数を低域側にシフトして発振周波数帯域を広げる。
【００２８】
また、ハイバンド受信用の局部発振回路として動作させる場合には、スイッチトランジスタ２２のベースにローの電圧を印加してこれをオフにすると、二つの保護ダイオード１９、２０及びバラクタダイオード３１の各カソードにはバイアス電圧が印加される。よって、共振回路３０はバラクタダイオード３１による小さな容量でも発振トランジスタ１１、１２に十分結合する。また、第１の抵抗１８はスイッチトランジスタ２２の等価的なオフ抵抗と並列接続されるので、共振回路３０のダンピング効果が大きくなって、高い周波数での異常発振が防止される。また、二つの保護ダイオードの端子間容量が小さくなるので、高い周波数までの発振が可能となる。
【図面の簡単な説明】
【００２９】
【図１】本発明の局部発振回路の構成を示す回路図である。
【図２】従来の局部発振回路の構成を示す回路図である。
【符号の説明】
【００３０】
１０：集積回路
１０ａ：第１の端子
１０ｂ：第２の端子
１０ｃ：第３の端子
１１、１２：発振トランジスタ
１３：定電流源
１４〜１７結合コンデンサ
１８：第１の抵抗
１９、２０：保護ダイオード
２１：第２の抵抗
２２：スイッチトランジスタ
２３：給電抵抗
２４：切替手段
３０：共振回路
３０ａ：インダクタンス素子
３０ｂ：バラクタダイオード
３０ｃ：コンデンサ
３１：結合用バラクタダイオード
３２：直流カットコンデンサ
【図１】
2006060568.tif 000003
【図２】
2006060568.tif 000004